(57)【特許請求の範囲】
【請求項１】
一端側が車体にそれぞれ回動自在に連結された複数のリンクアームと、
前記複数のリンクアームの他端側がそれぞれ回動自在に連結され、前記複数のリンクアームの揺動によって車体に設けられたドア開口を開閉するスライドドアと、
前記複数のリンクアームのうち少なくともいずれかに保持されて該リンクアームと一体に揺動すると共に、前記複数のリンクアームの揺動時に該複数のリンクアーム間の開口を塞ぐ遮蔽板と、
を備えたことを特徴とするスライドドア構造。
【請求項２】
一端側が車体にそれぞれ回動自在に連結された複数のリンクアームと、
前記複数のリンクアームの他端側がそれぞれ回動自在に連結され、前記複数のリンクアームの揺動によって車体に設けられたドア開口を開閉するスライドドアと、
それぞれ前記複数のリンクアームに保持されて前記各リンクアームと一体に揺動すると共に、前記複数のリンクアームの揺動時に該複数のリンクアーム間の開口を塞ぐ複数の遮蔽板と、
を備えたことを特徴とするスライドドア構造。
【請求項３】
前記複数の遮蔽板は、前記複数のリンクアームの揺動時に互いに上下方向に重複した状態を維持することを特徴とする請求項２に記載のスライドドア構造。
【請求項４】
前記スライドドア及び前記車体の少なくとも一方には、前記複数のリンクアームの揺動時に前記複数の遮蔽板間の開口を塞ぐ補助閉塞部材が設けられていることを特徴とする請求項２又は請求項３に記載のスライドドア構造。
【請求項５】
前記複数のリンクアームには、前記遮蔽板を下側から支持する支持部材が設けられていることを特徴とする請求項１乃至請求項４のいずれか一項に記載のスライドドア構造。
【発明の詳細な説明】
【技術分野】
【０００１】
本発明は、スライドドア構造に係り、特に複数のリンクアームの揺動によって車体に設けられたドア開口を開閉するスライドドアを備えたスライドドア構造に関する。
【背景技術】
【０００２】
この種のスライドドア構造としては、次のものが知られている（例えば、特許文献１参照）。例えば、特許文献１には、トラックの側面に設けられたスライドドア構造の例が開示されている。この特許文献１に記載の例では、平行リンク機構を形成する複数のアームの揺動によってスライドドアがスライドし、このスライドドアのスライド動作によって車室のドア開口が開閉されるようになっている。また、アームの下方には、アームの水平方向への揺動動作に連動して水平位置と垂直位置との間で回動するカバーが設けられており、このカバーは、ドア全開時に水平位置となってアーム間の開口を塞ぐ構成となっている。
【特許文献１】実開昭６３−１９７７１９号公報
【発明の開示】
【発明が解決しようとする課題】
【０００３】
しかしながら、特許文献１に記載の例では、上述のように、ドア全開時にカバーが水平位置となって初めてアーム間の開口を塞ぐ構成であった。従って、アーム揺動時（特にアーム間の開口面積が最大となるドア開閉中間位置のとき）におけるアーム間の開口の閉塞が不十分であった。
【０００４】
本発明は、上記事情に鑑みてなされたものであって、その目的は、複数のリンクアームの揺動によって車体に設けられたドア開口を開閉するスライドドアを備えたスライドドア構造において、リンクアームの揺動時にリンクアーム間の開口を十分に閉塞可能とすることにある。
【課題を解決するための手段】
【０００５】
前記課題を解決するために、請求項１に記載のスライドドア構造は、一端側が車体にそれぞれ回動自在に連結された複数のリンクアームと、前記複数のリンクアームの他端側がそれぞれ回動自在に連結され、前記複数のリンクアームの揺動によって車体に設けられたドア開口を開閉するスライドドアと、前記複数のリンクアームのうち少なくともいずれかに保持されて該リンクアームと一体に揺動すると共に、前記複数のリンクアームの揺動時に該複数のリンクアーム間の開口を塞ぐ遮蔽板と、を備えたことを特徴とする。
【０００６】
このように、請求項１に記載のスライドドア構造では、遮蔽板が、複数のリンクアームの揺動時に該複数のリンクアーム間の開口を塞ぐ構成である。従って、この構成によれば、リンクアームの揺動時にリンクアーム間の開口を十分に閉塞することが可能となる。
【０００８】
また、請求項１に記載のスライドドア構造では、遮蔽板が、複数のリンクアームのうち少なくともいずれかに保持されて該リンクアームと一体に揺動する構成である。従って、簡単な構成で確実に、複数のリンクアームの揺動時に該複数のリンクアーム間の開口を遮蔽板によって塞ぐことができる。また、この種のスライドドア構造では、リンクアームの揺動に伴いリンクアーム間の開口形状（開口位置及び開口面積）が変化するが、本発明の上記構成によれば、リンクアームの揺動に伴うリンクアーム間の開口形状の変化に遮蔽板による閉塞領域を追従させることができる。これにより、スライドドアのドア開閉軌跡の全域において複数のリンクアーム間の開口を十分に閉塞することが可能となる。
【０００９】
請求項２に記載の発明は、一端側が車体にそれぞれ回動自在に連結された複数のリンクアームと、前記複数のリンクアームの他端側がそれぞれ回動自在に連結され、前記複数のリンクアームの揺動によって車体に設けられたドア開口を開閉するスライドドアと、それぞれ前記複数のリンクアームに保持されて前記各リンクアームと一体に揺動すると共に、前記複数のリンクアームの揺動時に該複数のリンクアーム間の開口を塞ぐ複数の遮蔽板と、を備えたことを特徴とする。
【００１０】
このように、請求項２に記載のスライドドア構造では、複数の遮蔽板が、複数のリンクアームの揺動時に該複数のリンクアーム間の開口を塞ぐ構成である。従って、この構成によれば、リンクアームの揺動時にリンクアーム間の開口を十分に閉塞することが可能となる。
また、請求項２に記載のスライドドア構造では、遮蔽板を複数枚備える構成となっている。従って、遮蔽板を複数にすることにより遮蔽板の形状の自由度が増し、リンクアームの揺動に伴う開口形状の変化への追従性が向上する。特に、例えば、蛇腹部材等で開口を閉塞する場合に追従できない開口形状の変化（リンク揺動に伴う伸縮及びリンク揺動方向への移動による形状変化）に対しても、上記構成によれば追従可能となる。また、リンクアーム間の開口面積が最大となるドア開閉中間位置での遮蔽面積を大きく確保することも可能となる。
【００１１】
請求項３に記載の発明は、請求項２に記載のスライドドア構造において、前記複数の遮蔽板は、前記複数のリンクアームの揺動時に互いに上下方向に重複した状態を維持することを特徴とする。
【００１２】
このように、請求項３に記載のスライドドア構造では、複数の遮蔽板が、複数のリンクアームの揺動時に互いに上下方向に重複した（上下に重なる）状態を維持する構成である。従って、遮蔽板が複数のリンクアームと一体に揺動する際に、遮蔽板のコバ（端末）同士が対向しないので、遮蔽板のコバ（端末）同士が引っ掛かる（突合せ状態になる）ことを防止でき、複数のリンクアームの揺動に伴う遮蔽板同士の相対的なスライド動作を滑らかにすることができる。これにより、スライドドアのドア開閉軌跡の全域において複数のリンクアーム間の開口を確実に閉塞することが可能となる。
【００１３】
請求項４に記載の発明は、請求項２又は請求項３に記載のスライドドア構造において、前記スライドドア及び前記車体の少なくとも一方には、前記複数のリンクアームの揺動時に前記複数の遮蔽板間の開口を塞ぐ補助閉塞部材が設けられていることを特徴とする。
【００１４】
このように、請求項４に記載のスライドドア構造では、スライドドア及び車体の少なくとも一方に、複数のリンクアームの揺動時に複数の遮蔽板間の開口を塞ぐ補助閉塞部材が設けられている。従って、複数のリンクアームの揺動時に複数の遮蔽板間に開口が形成される場合であっても、この遮蔽板間の開口が補助閉塞部材によって閉塞される。これにより、リンクアーム間の開口に対する閉塞面積を拡大することができる。
【００１５】
請求項５に記載の発明は、請求項１乃至請求項４のいずれか一項に記載のスライドドア構造において、前記複数のリンクアームには、前記遮蔽板を下側から支持する支持部材が設けられていることを特徴とする。
【００１６】
このように、請求項５に記載のスライドドア構造では、複数のリンクアームに、遮蔽板を下側から支持する支持部材が設けられている。従って、遮蔽板に下方荷重が加わった場合でも、この下方荷重が支持部材によって支持される。これにより、一方のリンクアームの集中荷重による変形及びこれに伴う遮蔽板の変形破損を防いでリンクアーム間の開口の閉塞状態を維持することができる。
【発明の効果】
【００１７】
以上詳述したように、本発明によれば、複数のリンクアームの揺動によって車体に設けられたドア開口を開閉するスライドドアを備えたスライドドア構造において、リンクアームの揺動時にリンクアーム間の開口を十分に閉塞することが可能となる。
【発明を実施するための最良の形態】
【００１８】
以下、本発明の一実施形態について、図を参照して説明する。なお、以下に説明する部材、配置等は、本発明を限定するものではなく、本発明の趣旨に沿って各種改変することができることは勿論である。
【００１９】
はじめに、図１乃至図６を参照しながら、本発明の一実施形態に係るスライドドア構造１０の構成について説明する。
【００２０】
本発明のスライドドア構造は、例えば、乗用自動車等の車両の側面に設けられたスライド式のドアに好適に用いられるものである。以下、一例として、本発明のスライドドア構造を車両の側面に適用した例について説明する。
【００２１】
本実施形態の車両のロッカ部１２には、車両幅方向外側に開口を有する凹部１２Ａが車両前後方向に沿って形成されており、この凹部１２Ａには、車体側のヒンジベース１４が設けられている。このヒンジベース１４には、一対のリンクアーム１６，１８の一端側がヒンジピン２０によってそれぞれ回動自在に連結されている。
【００２２】
一方、本実施形態のスライドドア２２のロッカ部１２と対向する部位には、車両前後方向に沿って形成されたヒンジベース２４が固定されている。このヒンジベース２４には、リンクアーム１６，１８の他端側がヒンジピン２６によって回動自在に連結されている。そして、この構成により、図３乃至図５に示されるように、スライドドア２２は、この一対のリンクアーム１６，１８の揺動によって、車体に設けられたドア開口２８を開閉する構成となっている。なお、一対のリンクアーム１６，１８は、平行な状態を維持して揺動する。
【００２３】
一対のリンクアーム１６，１８の上側には、それぞれ車両平面視にて概略台形状の平板で形成された遮蔽板（カバー）３０，３２が設けられている。この遮蔽板３０，３２は、例えば、鉄製とされており、複数のねじ等の固着具３４によってリンクアーム１６，１８の上面部にそれぞれ固定されて保持されている。各遮蔽板３０，３２の固定端部３０Ａ，３２Ａ側は、リンクアーム１６，１８の長手方向に沿って形成されており、自由端部３０Ｂ，３２Ｂ側は、互いに対向するリンクアーム側へ車両平面視にて山形状に延出するように形成されている。
【００２４】
そして、遮蔽板３０，３２は、互いに略同一形状（本実施形態では異形状であるが完全同一形状も可）で構成されており、概略点対称状に配置されている。この構成により、遮蔽板３０，３２は、図３乃至図５に示されるように、一対のリンクアーム１６，１８の揺動時に、一対のリンクアーム１６，１８間の開口３８（隙間）を塞ぎながら一対のリンクアーム１６，１８と連動して同一方向に揺動するようになっている。
【００２５】
さらに、本実施形態において、遮蔽板３０，３２は、リンクアーム１６，１８の揺動時に遮蔽板３０，３２の揺動軌跡上で常に上下方向に重複した（上下に重なる（ラップする））状態を維持するように配置されている。つまり、図３，図５に示されるように、スライドドア２２がドア全閉位置及びドア全開位置にあるときに、遮蔽板３０，３２の一部が上下方向に重なるだけでなく、図４、図６に示されるように、一対のリンクアーム１６，１８が互いに最も離間するドア開閉中間位置にあるときにおいても、遮蔽板３２の自由端部３２Ｂ（延出端部）は、遮蔽板３０の自由端部３０Ｂ（延出端部）よりも鉛直方向上側に位置し、両自由端部３０Ｂ，３２Ｂは、互いに同一平面で対向しない構成となっている。なお、遮蔽板３０，３２の上下方向の隙間は、遮蔽板３０，３２が互いに接しない程度の僅かな寸法に設定されている。
【００２６】
また、ドア全開時（図５参照）に車両幅方向外側に位置する遮蔽板３０の固定端部３０Ａには、図６に示されるように、車両外方から一対のリンクアーム１６，１８を覆う意匠板３６が下方へ向けて一体に垂設されている。
【００２７】
一対のリンクアーム１６，１８の各長手方向中間部には、補強用のサブアーム４０の両端側が連結ピン４２によってそれぞれ回動自在に連結されている。このサブアーム４０は、車両上下方向において一対のリンクアーム１６，１８と遮蔽板３０，３２との間に配置されている。サブアーム４０は、遮蔽板３０，３２を下側から支持すると共に、遮蔽板３０，３２を介して一対のリンクアーム１６，１８のうち一方のリンクアームに加わる下方荷重を他方のリンクアームに分散する荷重分散部材としての役割を果たすものである。なお、遮蔽板３０，３２とサブアーム４０との上下方向の隙間は、遮蔽板３０，３２に下方荷重が加わることにより遮蔽板３０，３２が撓んだときにこの遮蔽板３０，３２がサブアーム４０と接触する程度に設定されている。
【００２８】
そして、本実施形態のスライドドア構造１０では、スライドドア２２の内側にドアトリム４４が設けられている。ドアトリム４４には、アームレスト４６及びドアポケット４８が設けられており、アームレスト４６の車両幅方向内側への突出端部４６Ａは、一対のリンクアーム１６，１８の上方に位置するスライドドア側部材全体の中で最も車両幅方向内側へ突出した部位となっている。
【００２９】
このアームレスト４６は、図４に示されるように、スライドドア２２がドア開閉中間位置にあるときに遮蔽板３０，３２間のドア側開口３８Ａを塞ぐ補助閉塞部材としての役割を果たすようになっている。つまり、アームレスト４６は、図４に示されるように、スライドドア２２がドア開閉中間位置にあるときに遮蔽板３０，３２間のドア側開口３８Ａと車両平面視にて重なることによりドア側開口３８Ａを塞ぐ構成となっている。
【００３０】
また、本実施形態のスライドドア構造１０では、ロッカ部１２にスカッフプレート５０が設けられている。スカッフプレート５０の車両幅方向外側には、ウェザストリップ５２が設けられており、このウェザストリップ５２の車両幅方向外側への突出端部５２Ａは、一対のリンクアーム１６，１８の上方に位置するロッカ部側部材の中で最も車両幅方向外側へ突出した部位となっている。
【００３１】
このスカッフプレート５０及びウェザストリップ５２（その他、ロッカリインフォースメント６０及びロッカインナーパネル６２のスカッフプレート５０側部位も含む）は、図４に示されるように、スライドドア２２がドア開閉中間位置にあるときに遮蔽板３０，３２間の車体側開口３８Ｂを塞ぐ補助閉塞部材としての役割を果たすようになっている。つまり、スカッフプレート５０及びウェザストリップ５２は、図４に示されるように、スライドドア２２がドア開閉中間位置にあるときに遮蔽板３０，３２間の車体側開口３８Ｂと車両平面視にて重なることにより車体側開口３８Ｂを塞ぐ構成となっている。
【００３２】
次に、上記構成からなるスライドドア構造１０の作用について説明する。
【００３３】
以上詳述したようにこのように、本実施形態に係るスライドドア構造１０では、図３乃至図５に示されるように、遮蔽板３０，３２が、一対のリンクアーム１６，１８間の開口３８を塞ぎながら一対のリンクアーム１６，１８と連動して揺動する構成である。従って、この構成によれば、リンクアーム１６，１８の揺動時にリンクアーム１６，１８間の開口３８を十分に閉塞することが可能となる。
【００３４】
また、本実施形態に係るスライドドア構造１０では、遮蔽板３０，３２が、一対のリンクアーム１６，１８に保持されて該リンクアーム１６，１８と一体に揺動する構成である。従って、簡単な構成で確実に、一対のリンクアーム１６，１８の揺動時にリンクアーム１６，１８間の開口３８を遮蔽板３０，３２によって塞ぐことができる。
【００３５】
また、この種のスライドドア構造１０では、リンクアーム１６，１８の揺動に伴いリンクアーム１６，１８間の開口３８の形状（開口位置及び開口面積）が変化するが、本実施形態の上記構成によれば、リンクアーム１６，１８の揺動に伴う開口３８の形状の変化に遮蔽板３０，３２による閉塞領域を追従させることができる。これにより、スライドドア２２のドア開閉軌跡の全域においてリンクアーム１６，１８間の開口３８を十分に閉塞することが可能となる。
【００３６】
また、本実施形態に係るスライドドア構造１０では、遮蔽板３０，３２が複数枚（本実施形態では、一例として２枚）構成とされている。従って、遮蔽板３０，３２を複数にすることにより遮蔽板３０，３２の形状の自由度が増し、リンクアーム１６，１８の揺動に伴う開口３８の形状の変化への追従性が向上する。
【００３７】
特に、例えば、蛇腹部材では伸縮方向（つまり動きが一次元）にしか対応できないが、本実施形態によれば、蛇腹部材等で開口３８を閉塞する場合に追従できない開口３８の形状の変化（リンク揺動に伴う伸縮及びリンク揺動方向への移動による形状変化で二次元の動きのもの）に対しても、上記構成によれば追従可能となる。また、蛇腹部材を用いた場合は見栄えも悪く耐久性も低いが、本実施形態によれば、遮蔽板３０，３２を用いているので見栄えもよく耐久性も高い。
【００３８】
また、本実施形態に係るスライドドア構造１０では、遮蔽板３０，３２を２枚構成とすることにより、図４に示されるように、リンクアーム１６，１８間の開口３８の開口面積が最大となるドア開閉中間位置での遮蔽面積を大きく確保することも可能となる。
【００３９】
また、本実施形態に係るスライドドア構造１０では、遮蔽板３０，３２が、一対のリンクアーム１６，１８の揺動時に互いに上下方向に重複した（上下に重なる）状態を維持する構成である。従って、遮蔽板３０，３２が一対のリンクアーム１６，１８と一体に揺動する際に、遮蔽板３０，３２のコバ（端末）同士が対向しないので、遮蔽板３０，３２のコバ（端末）同士が引っ掛かる（突合せ状態になる）ことを防止でき、一対のリンクアーム１６，１８の揺動に伴う遮蔽板３０，３２同士の相対的なスライド動作を滑らかにすることができる。これにより、スライドドア２２のドア開閉軌跡の全域においてリンクアーム１６，１８間の開口３８を確実に閉塞することが可能となる。
【００４０】
特に、図５に示されるように、遮蔽板３０，３２を２枚構成としてドア全開位置において互いに大きく重なるようにすることにより、ドア開口２８の開口面積の確保（一対のリンクアーム１６，１８の車両後方への揺動角度確保）を阻害することなく、リンクアーム１６，１８間の開口３８を閉塞できる。また、ドア開口２８の開口面積を大きく確保できることにより、セカンドシート５４の後方のサードシート５６への乗員の乗降性も確保される。
【００４１】
さらに、図３に示されるように、遮蔽板３０，３２を２枚構成としてドア全閉位置においても互いに大きく重なるようにすることにより、リンクアーム１６，１８上やヒンジベース１４，２４間に遮蔽板３０，３２をコンパクトに収納することができる。これにより、スライドドア２２及び車体の配置スペースの小型化を図ることができる。また、ヒンジベース１４，２４及びリンクアーム１６，１８より構成されるヒンジＡＳＳＹ内で遮蔽構造を完結できるため、車体側及びスライドドア２２側への制約も少なくすることができる。
【００４２】
また、本実施形態に係るスライドドア構造１０では、一対のリンクアーム１６，１８にサブアーム４０が設けられている。従って、図６に示されるように、遮蔽板３０，３２を介してリンクアーム１６，１８の一方に下方荷重が加わった場合でも、この下方荷重がサブアーム４０によって他方のリンクアーム１６，１８に分散される。これにより、一方のリンクアーム１６，１８の集中荷重による変形及びこれに伴う遮蔽板３０，３２の変形破損を防いでリンクアーム１６，１８間の開口３８の閉塞状態を維持することができる。
【００４３】
特に、本実施形態では、遮蔽板３０，３２が片持ち保持されているが、サブアーム４０により自由端部３０Ｂ，３２Ｂ側を支持可能な構成とすることにより、図６に示されるように、遮蔽板３０，３２の自由端部３０Ｂ，３２Ｂ側に下方荷重が加わった場合でも、この自由端部３０Ｂ，３２Ｂ側の変形量も最小限に抑えることができる。
【００４４】
また、本実施形態に係るスライドドア構造１０において、アームレスト４６は、図４に示されるように、遮蔽板３０，３２間のドア側開口３８Ａと車両平面視にて重なることによりドア側開口３８Ａを塞ぐ構成となっており、スカッフプレート５０及びウェザストリップ５２は、遮蔽板３０，３２間の車体側開口３８Ｂと車両平面視にて重なることにより車体側開口３８Ｂを塞ぐ構成となっている。従って、本実施形態のように、一対のリンクアーム１６，１８の揺動時に遮蔽板３０，３２間にドア側開口３８Ａ及び車体側開口３８Ｂが形成される場合であっても、このドア側開口３８Ａ及び車体側開口３８Ｂが、アームレスト４６、スカッフプレート５０及びウェザストリップ５２によってそれぞれ閉塞される。これにより、リンクアーム１６，１８間の開口３８に対する閉塞面積を拡大することができる。
【００４５】
また、本実施形態に係るスライドドア構造１０では、図５に示されるように、遮蔽板３０，３２が、ドア全開時に一対のリンクアーム１６，１８からほとんど突出しないため、遮蔽板３０，３２を設けたことにより乗降性を阻害されることも防止できる。また、リンクアーム１６，１８間の開口３８を遮蔽板３０，３２により塞ぐことにより、遮蔽板３０，３２を乗降時のステップとして利用することもできる。これにより、乗降性も向上する。なお、この場合に、遮蔽板３０，３２の表面にスリップ止めが施されていると、乗降時の滑りを防いで乗降性をさらに向上させることができる。
【００４６】
次に、本実施形態の変形例について説明する。
【００４７】
上記実施形態では、遮蔽板３０，３２が２枚構成となっていたが、２枚以上の構成としても良い。また、ドア全閉時の省スペース化及びドア全開時のドア開口２８が確保される場合には、遮蔽板３０，３２が一対のリンクアーム１６，１８のいずれかに固定保持される１枚構成となっていても良い。
【００４８】
また、上記実施形態では、サブアーム４０が１本設けられていたが、複数本であっても良い。このようにサブアーム４０を複数本にすることにより、遮蔽板３０，３２に加わった下方荷重を均衡させることができる。また、これにより、遮蔽板３０，３２を樹脂にして軽量化することも可能となる。
【００４９】
また、上記実施形態では、一対のリンクアーム１６，１８の各長手方向中間部に、補強用のサブアーム４０を設けたが、例えば、遮蔽板３０，３２に加わる下方荷重に対する強度（剛性）が確保されていれば、サブアーム４０を省いた構成としても良い。
【００５０】
また、上記実施形態では、遮蔽板３０，３２とサブアーム４０との間に隙間を設けたが、遮蔽板３０，３２又はサブアーム４０にリブを設け、このリブが遮蔽板３０，３２又はサブアーム４０に常時当接される構成にしても良い。また、常時、遮蔽板３０，３２とサブアーム４０とが直接的に面当てされる構成としても良い。
【００５１】
また、上記実施形態では、図４に示されるように、ドア開閉中間位置において遮蔽板３０，３２間にドア側開口３８Ａ及び車体側開口３８Ｂが形成されるようにしたが、遮蔽板３０，３２の形状を工夫したり、ウェザストリップ５２やアームレスト４６の車両幅方向位置を変えたりすることにより、ドア側開口３８Ａ及び車体側開口３８Ｂを無くすようにすることができることは勿論である。
【００５２】
また、上記実施形態では、遮蔽板３０に意匠板３６を設けたが、例えば、車両外方からの一対のリンクアーム１６，１８の意匠性（見栄え）が確保される場合には、意匠板３６を省いた構成としても良い。
【００５３】
また、上記実施形態では、スライドドア２２をスライドさせるための一対のリンクアーム１６，１８に遮蔽板３０，３２を固定保持させていたが、この一対のリンクアーム１６，１８とは別途に専用のアームを設け、このアームに遮蔽板３０，３２を固定保持させて遮蔽板３０，３２が一対のリンクアーム１６，１８と連動して揺動するようにしても良い。
【００５４】
また、上記実施形態では、ロッカ部１２に一対のリンクアーム１６，１８を設けて、スライドドア２２をスライドするように説明したが、ロッカ部１２に加えてルーフサイド部にも一対のリンクアームを備えたスライドドア構造としても良いことは勿論である。
【図面の簡単な説明】
【００５５】
【図１】本実施形態に係るスライドドア構造の正面断面図でありスライドドアがドア全閉位置にある状態を示す図である。
【図２】本実施形態に係るスライドドア構造の要部拡大断面図でありスライドドアがドア開閉中間位置にある状態を示す図である。
【図３】本実施形態に係るスライドドア構造の平面断面図でありスライドドアがドア全閉位置にある状態を示す図である。
【図４】本実施形態に係るスライドドア構造の平面断面図でありスライドドアがドア開閉中間位置にある状態を示す図である。
【図５】本実施形態に係るスライドドア構造の平面断面図でありスライドドアがドア全開位置にある状態を示す図である。
【図６】図４のＡ−Ａ線断面図である。
【符号の説明】
【００５６】
１０  スライドドア構造
１６，１８  リンクアーム
２２  スライドドア
２８  ドア開口
３０，３２  遮蔽板
３８  開口
４０  サブアーム（支持部材）
４６  アームレスト（補助閉塞部材）
５０  スカッフプレート（補助閉塞部材）
５２  ウェザストリップ（補助閉塞部材）
【図１】
0004466538.tif 000002
【図２】
0004466538.tif 000003
【図３】
0004466538.tif 000004
【図４】
0004466538.tif 000005
【図５】
0004466538.tif 000006
【図６】
0004466538.tif 000007